(57)【要約】      （修正有）【課題】様々な種類の電線に対応して起立体を垂直に取り付けることができるとともに、低コストで対応させることのできる鳥害防止具を提供する。【解決手段】起立体１は、電線Ｄの長手方向の所定の範囲に、規制部材を電線Ｄとほぼ平行して配置する離隔部３と、電線取付部を備えており、電線取付部は、電線Ｄを両側から挟み込んで固定するものであり、電線Ｄを挟む一側部材７ａと他側部材８ａのいずれか一方または両方は、電線Ｄと当接する箇所に取り付け可能であるとともに電線Ｄ外周部の形状に合わせて変形する電線当接部材５，６が設けてあることを特徴とする。【選択図】図１
2018007653.tif 000002
【特許請求の範囲】
【請求項１】
起立体は、電線の長手方向の所定の範囲に、規制部材を電線とほぼ平行して配置する離隔部と、電線取付部を備えており、
電線取付部は、電線を両側から挟み込んで固定するものであり、電線を挟む一側部材と他側部材のいずれか一方または両方は、電線と当接する箇所に取り付け可能であるとともに電線外周部の形状に合わせて変形する電線当接部材が設けてあることを特徴とする鳥害防止具。
【請求項２】
起立体は、電線の長手方向の所定の範囲に、規制部材を電線とほぼ平行して配置する離隔部と、電線取付部を備えており、
電線取付部は、電線を両側から挟み込んで固定するものであり、電線を挟む一側部材と他側部材のいずれか一方または両方は、電線と当接する箇所に取り付け可能である電線当接部材を備え、
電線当接部材には、電線外周部よりも僅かに大きなまたは小さな保持部が設けてあることを特徴とする鳥害防止具。
【請求項３】
起立体は、電線の長手方向の所定の範囲に、規制部材を電線とほぼ平行して配置する離隔部と、電線取付部を備えており、
電線取付部は、電線を両側から挟み込んで固定するものであり、電線を挟む一側部材と他側部材のいずれか一方または両方は、電線と当接する箇所に取り付け可能である電線当接部材を備え、
電線当接部材には、電線外周部にほぼ一致している保持部が設けてあることを特徴とする鳥害防止具。
【発明の詳細な説明】
【技術分野】
【０００１】
本発明は、電線に沿って取り付けることにより鳥の飛来や営巣を防ぐ鳥害防止具に関するものである。
【背景技術】
【０００２】
鳥害防止具は、電線に沿って間隔をあけて複数の起立体を取り付け、さらに、上記の各起立体の間に電線と平行してライン材を張ることで、電線上のスペースを遮断し、電線への鳥の立ち止まりを防ぐものであった。
【先行技術文献】
【特許文献】
【０００３】
【特許文献１】特開２００２−１７６９０１号公報
【発明の概要】
【発明が解決しようとする課題】
【０００４】
電線は使用目的や使用場所の違いによって様々な種類のものがある。しかしながら、起立体の電線を保持する箇所が、電線の異形の断面形状や鳥害防止具と比べて極端に外径の細い電線には対応せず、このことから起立体が電線に不安定な状態で取り付けられる。これにより、鳥害防止具を電線に取り付けた後、鳥害防止具が垂直を維持できず、ロープが電線と平行に配置されないことから、鳥害防止具が機能しなくなる問題点があった。さらに、上記のような問題を解決するため、新たに異形断面に対応した部位を有する鳥害防止具や外径の細い電線を保持できる鳥害防止具を用意する必要があり、コストアップや製品の在庫を増やさなければならなかった。
【０００５】
本発明は上記課題を鑑みてなされたものであり、様々な種類の電線に対応して起立体を垂直に取り付けることができるとともに、低コストで対応させることのできる鳥害防止具を提供することにある。
【課題を解決するための手段】
【０００６】
本発明のうち請求項１記載の発明は、起立体は、電線の長手方向の所定の範囲に、規制部材を電線とほぼ平行して配置する離隔部と、電線取付部を備えており、電線取付部は、電線を両側から挟み込んで固定するものであり、電線を挟む一側部材と他側部材のいずれか一方または両方は、電線と当接する箇所に取り付け可能であるとともに電線外周部の形状に合わせて変形する電線当接部材が設けてあることを特徴とする。
【０００７】
本発明のうち請求項２記載の発明は、起立体は、電線の長手方向の所定の範囲に、規制部材を電線とほぼ平行して配置する離隔部と、電線取付部を備えており、電線取付部は、電線を両側から挟み込んで固定するものであり、電線を挟む一側部材と他側部材のいずれか一方または両方は、電線と当接する箇所に取り付け可能である電線当接部材を備え、電線当接部材には、電線外周部よりも僅かに大きなまたは小さな保持部が設けてあることを特徴とする。
【０００８】
本発明のうち請求項３記載の発明は、起立体は、電線の長手方向の所定の範囲に、規制部材を電線とほぼ平行して配置する離隔部と、電線取付部を備えており、電線取付部は、電線を両側から挟み込んで固定するものであり、電線を挟む一側部材と他側部材のいずれか一方または両方は、電線と当接する箇所に取り付け可能である電線当接部材を備え、電線当接部材には、電線外周部にほぼ一致している保持部が設けてあることを特徴とする。
【発明の効果】
【０００９】
本発明の請求項１記載の発明によれば、電線が当接したときに、一側部材と他側部材の一方または両方に取り付けてある電線当接部材が変形することで、当接した電線が正円以外の異形の断面であっても、電線の断面形状に対応して自在に変形し、そのまま、電線を保持することができる。これにより、電線に鳥害防止具を取り付けたときに、起立体が捩じれずに離隔部の垂直状態を維持し、離隔部に取り付けた規制部材と電線が上下にほぼ平行して配置され、電線への鳥の立ち留まりを防ぐことができる。さらに、電線と当接する箇所が電線取付部の一側部材と他側部材の一方、または両方に取り付けが可能な構造であることにより、一般的な正円以外の異形の断面を有する電線の取り付けを想定されていない従来の一般的な鳥害防止具に対しても、電線当接部材を取り付けることで、電線と当接する箇所が異形断面の電線に対応して設置することのできる機能を有することになる。
【００１０】
本発明の請求項２記載の発明によれば、電線当接部材に径の細い電線よりも僅かに大きな、または僅かに小さな保持部を設けたことにより、標準の径の電線に使用される鳥害防止具を、通常は大きさが対応しない径の細い電線に対しても使用することができる。このことから、特殊な電線専用の鳥害防止具を別に用意する必要がなく、さらに在庫する必要もないので、コストを削減できる。
【００１１】
本発明の請求項３記載の発明によれば、電線の外周部に対してほぼ一致する保持部を設けた電線当接部材を取り付けることにより、一般的な断面円形状をなす電線のほか、異形断面の電線に対してもしっかりと保持することができる。
【図面の簡単な説明】
【００１２】
【図１】図４（ｂ）中Ａを拡大し、本実施による鳥害防止具の要部を示す縦断面図である。
【図２】本実施による鳥害防止具の上側スペーサーを示す（ａ）は、斜視図であり、（ｂ）は、図４（ｂ）中のＢ−Ｂ線を断面して電線に取り付けた状態を示す縦断面図である。
【図３】本実施による鳥害防止具の下側スペーサーを示す（ａ）は、斜視図であり、（ｂ）は、図４（ｂ）中のＢ−Ｂ線を断面して電線に取り付けた状態を示す縦断面図である。
【図４】（ａ）は、上側スペーサーと下側スペーサーで電線を挟んだときの状態を示す要部のみを示した斜視図であり、（ｂ）は、本実施による鳥害防止具の全体を示す正面図である。
【図５】（ａ）は、本実施による鳥害防止具の施工状態を示す側面図であり、（ｂ）（ｃ）は、上側スペーサーと下側スペーサーで電線を挟んだときの他の態様を示す要部を拡大した縦断面図である。
【図６】（ａ）は、本発明の鳥害防止具の上側スペーサーの他の実施形態を示す斜視図であり、（ｂ）は、起立体に取り付けたときの要部を拡大した縦断面図である。
【図７】（ａ）（ｂ）は、本発明の鳥害防止具の下側スペーサーの他の実施形態を示す斜視図である。
【図８】本発明による鳥害防止具の第二実施形態であり、径の細い電線でさらに異形断面を有する電線に対応する電線当接部材を取り付けたものを示す縦断面図である。
【図９】（ａ）は、図８の電線当接部材の取付状態を示す要部を拡大した縦断面図であり、（ｂ）は、電線当接部材の斜視図である。
【図１０】（ａ）（ｂ）は、図８の鳥害防止具を電線に取り付ける施工手順を示す要部を拡大した縦断面図である。
【図１１】本発明による鳥害防止具の第三実施形態であり、径の細い電線に対応する電線当接部材を取り付けたものを示す縦断面図である。
【図１２】（ａ）は、図１１の電線当接部材の取付状態を示す要部を拡大した縦断面図であり、（ｂ）は、電線当接部材の斜視図である。
【図１３】（ａ）（ｂ）は、図１１の鳥害防止具を電線に取り付ける施工手順を示す要部を拡大した縦断面図である。
【図１４】本発明による鳥害防止具の第四実施形態を示すものであり、（ａ）（ｂ）は、電線当接部材を上側に取り付けたものを示す要部を拡大した縦断面図である。
【発明を実施するための形態】
【００１３】
以下、本発明の鳥害防止具の実施形態を図面に基づいて説明する。
本実施による鳥害防止具は、図５（ａ）のように、電線Ｄに沿って間隔をあけて取り付ける複数の起立体１と、各起立体１を繋ぐライン材（規制部材）２を備えている。
起立体１は、図４（ｂ）のように、離隔部３と電線取付部４とから構成しており、電線取付部４には、電線に当接する箇所に上側スペーサー（電線当接部材）５と下側スペーサー（電線当接部材）６が取り付けてある。
【００１４】
離隔部３は、本実施では、電線取付部４の上部からほぼ垂直に起立する規制部材受け部１０と、この規制部材受け部１０の上下の任意の位置にある溝状の規制部材係止部１０ａでライン材２を挟んで固定できる規制部材押さえ部１１とから構成するものである。規制部材受け部１０と規制部材押さえ部１１は、開閉自在に形成してあり、規制部材受け部１０と規制部材押さえ部１１を閉じることでライン材２を挟み込む。また、ライン材２は、本実施形態では繊維を束ねるとともに表面に樹脂被覆を施したものを使用し、絶縁性と引張り張力、剪断耐力を有するものが使用されている。
【００１５】
電線取付部４は、図１のように、電線Ｄの三方を囲む電線受け部材７と、電線押圧部材８とを有している。
電線受け部材７は、上片７ａと下片７ｂと縦片７ｃとからほぼコ字型をなしている。さらに、電線受け部材７の開放側には、上片７ａに有する回転連結部７ｄで開閉可能な蓋部材９が設けてある。そして、上記の蓋部材９を開けた開放側から電線受け部材７の内周側に受け入れた電線Ｄを蓋部材９で閉塞することによって、電線Ｄを離脱させなくできる。電線押圧部材８は、ネジ型をなしており、電線受け部材７の下片７ｂに上下方向に螺合したものである。さらに、電線押圧部材８の長手方向の一端部には、電線Ｄを押すための押圧部８ａを有しており、電線押圧部材８の長手方向の他端部には、間接活線把持具に取り付けることのできる被取付部８ｂを有している。押圧部８ａは、電線受け部材７の下片７ｂに対して上下に挿通しており、電線押圧部材８を電線受け部材７の内周側に配している。
【００１６】
上側スペーサー５は、図２（ａ）（ｂ）のように、上側電線当接部１３と、上側起立体取付部１４とから構成しており、全体を合成ゴムなどの弾性素材で一体成形してある。
上側電線当接部１３は、電線Ｄとの当接箇所が下向きほぼＶ字状をなすＶ溝Ｇを有しており、電線Ｄが当接したときに、図１を参照すれば、電線Ｄの凸部分１７が上側スペーサー５に食い込んで上側電線当接部１３が変形し、さらに、上側電線当接部１３の他部が電線Ｄの外周部に対して当接する。さらに、上側電線当接部１３には、ほぼ矩形状をなす肉抜部１３ａ，１３ａが二箇所にそれぞれ設けてある。上側起立体取付部１４は、上側電線当接部１３の上部に設けてあり、上側電線当接部１３における電線Ｄの長手方向に沿う両端から起立する垂直部１４ａと、その垂直部の上端から内向き且つ水平に延びる水平部１４ｂで鉤型にそれぞれ形成してある。そして、本実施形態では、両端の鉤型部分を弾性的に変形させて外側に拡げながら、起立体１の電線受け部材７の上片７ａに係止するものである。
【００１７】
下側スペーサー６は、図３（ａ）（ｂ）のように下側電線当接部１５と、下側起立体取付部１６とから構成しており、上記の上側スペーサー５と同様、合成ゴムなどの弾性素材で一体成形してある。
下側電線当接部１５は、電線Ｄとの当接箇所がほぼＶ字状をなすＶ溝Ｇを有しており、上側スペーサー５と同様に、電線Ｄが当接したときに、電線Ｄの凸部分１７が食い込んで下側スペーサー６が変形し、下側電線当接部１５の他部が電線Ｄの外周部に対して当接する。さらに、下側スペーサー６が弾性を有することで、電線Ｄの複雑な凹凸も弾性変形して吸収できる。下側起立体取付部１６は、本実施のものでは、下側電線当接部１５の外周縁部の四箇所からそれぞれが垂下するブロック状をなすリブが設けてある。また、下側起立体取付部１６を構成している各リブ１６ａ，１６ｂは、電線押圧部材８の押圧部８ａの上端部に外周側から嵌合するものと、押圧部８ａの受孔８ｃに挿し込むものがある。
【００１８】
上記の上側スペーサー５と下側スペーサー６をそれぞれ起立体１に取り付けたときは、図１と図４（ａ）のように形成される。
上側スペーサー５は、上側起立体取付部１４を電線受け部材７の上片７ａに係止したときに、上側電線当接部１３が上片７ａの既存の電線当接箇所を覆うことになる。下側スペーサー６は、下側起立体取付部１６を構成している各リブ１６ａ〜１６ｂのうち、それぞれが対向する二つの各リブ１６ａ，１６ａを押圧部８ａの既存の電線当接箇所に嵌合し、さらに、残りの対向する二つの各リブ１６ｂ，１６ｂを押圧部８ａの既存の電線Ｄの当接箇所に設けてある受孔８ｃに挿し込む。これにより、下側電線当接部１５が押圧部８ａの既存の電線当接箇所を覆うことになる。このように既存の電線Ｄの当接箇所を覆う状態とし、上側スペーサー５と下側スペーサー６の間に、電線取付部４の開放側から受け入れた電線Ｄを挟み込み、起立体１を電線Ｄに取り付けるものである。また、電線取付部４の電線押圧部材８を締め込んだときには、上側スペーサー５の両側に設けてある各肉抜部１３ａ，１３ａに、下側スペーサー６の両側縁部が入り込んで、上側電線当接部１３と下側電線当接部１５の当接面同士の距離がより一層近付くように形成してある。
【００１９】
上記した上側スペーサー５と下側スペーサー６を起立体１に取り付けた鳥害防止具は、以下に示すような作用ならびに効果を奏する。
図１と図４（ａ）のように、断面形状が正円以外の異形の電線Ｄの外周部に対し、電線受け部材７の上片７ａに取り付けた上側スペーサー５と、電線押圧部材８の押圧部８ａに取り付けた下側スペーサー６が対向位置からそれぞれ挟み込むことになる。これにより、それぞれが弾性を有する上側スペーサー５の上側電線当接部１３及び下側スペーサー６の下側電線当接部１５のＶ溝Ｇのコーナー内周側部に、異形の断面形状を有する電線Ｄの凸部分１７が案内されて当たる。このときに、電線Ｄの凸部分１７は、上側スペーサー５と下側スペーサー６をそれぞれ、上側電線当接部１３と下側電線当接部１５のＶ溝Ｇを基点として内向きに弾性変形させながら食い込んでいく。さらに、弾性を有することで電線Ｄの凹凸を弾性変形で吸収し、その変形した上側スペーサー５の上側電線当接部１３と下側スペーサー６の下側電線当接部１５で電線Ｄを締め付ける構造となり、最終的に、異形断面の電線Ｄの凹凸を変形により吸収することになる。したがって、電線Ｄに起立体１を取り付けるときに、電線押圧部材８を徐々に締め込んでいっても、起立体１が締付に伴って捩れることがないので、起立体１がほぼ垂直な姿勢を保ったまま電線Ｄに取り付けることができる。結果、ライン材２と電線Ｄが上下にほぼ平行に配置されて、ライン材２が鳥の侵入を規制することで、電線Ｄへの鳥の立ち留まりを安定して防ぐことが可能となる。また、異形の電線Ｄの凸部分１７が斜めを向くような状況であっても、図５（ｂ）のように、電線Ｄが上側スペーサー５に当接した後、電線押圧部材８を徐々に締め込んでいき、さらに、電線押圧部材８の押圧部８ａに嵌合してある下側スペーサー６を電線Ｄに近付ける。これにより、図５（ｃ）のように、電線Ｄが上側スペーサー５と下側スペーサー６に当接したときに、電線Ｄの凸部分１７が食い込む。これにより、上側電線当接部１３と下側電線当接部１５に電線Ｄの凸部分１７が食い込んだ状態のまま、電線Ｄの外周部をそれぞれが締め付けるかたちで挟んで取り付けることができる。
【００２０】
以下に示すものは、本発明による鳥害防止具の第二実施形態である。
第二実施形態の鳥害防止具は、上記実施形態で使用した弾性を有する上側スペーサー５と下側スペーサー６に代えて電線当接部材２１ａを取り付けたものである。そして、電線当接部材２１ａは、上記の下側スペーサー６と同じく、図８のように電線当接部２２と、起立体取付部（取付部）２３とから構成しており、鳥害防止具を構成する素材と同じく、比較的硬質な合成樹脂で一体成形してある。そして、第二実施形態に適用する電線の例として、径が細く、外周部にヒレを有する異形の電線Ｄを示す。
電線当接部材２１ａは、図９（ａ）（ｂ）のように、電線当接部２２における電線Ｄとの当接箇所がほぼＶ字状をなしており、そのＶ字の溝底には、径の細い電線Ｄを保持する保持溝（保持部）２４ａが設けてある。保持溝２４ａは、電線Ｄよりも僅かに大きい径の半円形状の溝である。保持溝２４ａの下方には、電線Ｄのヒレの部分を受け入れる受入溝２４ｂが設けてあり、受入溝２４ｂは電線Ｄのヒレの外形とほぼ一致している凹状をなす。起立体取付部２３は、本実施のものでは、電線当接部２２の外周縁部の二箇所からそれぞれが垂下し且つ各々が内周側に突出した鉤状をなす係止片２５が設けてある。また、起立体取付部２３は、電線押圧部材８の押圧部８ａの外周側の二箇所に係止して離脱がしにくい状態で取り付けるものである。
【００２１】
上記の電線当接部材２１ａを起立体１に取り付けたときは、図８と図９（ａ）のように形成される。
電線当接部材２１ａは、起立体取付部２３を電線押圧部材８の押圧部８ａに係止したときに、上記した下側スペーサー６と同じく電線当接部２２が押圧部８ａの上端面を覆うため、電線押圧部材８で取り付けしたときよりも電線当接部２２と電線受け部材７の上片７ａとの間に生じる隙間が少ない。
このように押圧部８ａの上面を電線当接部２２で覆い、その電線当接部２２と上片７ａとの間で電線取付部４の開放側から受け入れた電線Ｄを挟み込み、その挟持力をもって起立体１を電線Ｄに取り付ける。
【００２２】
電線当接部材２１ａを起立体１に取り付けた第二実施形態の鳥害防止具は、以下に示すような作用ならびに効果を奏する。
図８と図１０（ａ）（ｂ）のように、径が細く、さらにヒレ付きで断面形状が異形の電線Ｄの外周部に対し、電線押圧部材８の押圧部８ａに取り付けた電線当接部材２１ａと、電線受け部材７の上片７ａとで挟み込む。このときに径の細い電線Ｄは、ほぼ半分が電線当接部材２１ａの電線Ｄよりも僅かに径の大きい保持溝２４ａに嵌り込んでおり、押圧部８ａと上片７ａの隙間と比べて、電線当接部２２と上片７ａとの間の隙間が少ないため、より強い力で径の細い電線を挟み込みこむことができる。さらに電線Ｄは、ヒレ部分がその外形とほぼ一致している凹状をなす受入溝２４ｂに嵌まることで、さらに回転不能な状態となっている。このことから、電線当接部材２１ａと上片７ａの間で強く締め込んでも電線Ｄが捩じれることがなく、起立体１が電線Ｄからほぼ垂直を維持した状態で取り付けられるので、ライン材２と電線Ｄが上下にほぼ平行に配置されて、ライン材２が電線Ｄへの鳥の立ち止まりを防ぐ。
【００２３】
次に、図１１に示すのは、本発明による鳥害防止具の第三実施形態である。
第三実施形態の電線当接部材２１ｂは、図１２（ａ）（ｂ）のように、異形の電線Ｄを保持する第二実施形態と同様に、電線当接部２２と、起立体取付部２３とから構成しており、本実施による鳥害防止具を構成する素材と同じく、比較的硬質な合成樹脂で一体成形してある。
そして、第二実施形態と相違する構成としては、保持溝（保持部）２４ａが電線Ｄの外径よりも僅かに小さな半円形状に形成してあり、その保持溝（保持部）２４ａに電線Ｄを食い込ませることで把持している点である。
【００２４】
電線当接部材２１ｂを起立体１に取り付けた第三実施形態の鳥害防止具は、以下に示すような作用ならびに効果を奏する。
保持溝２４ａは電線Ｄの外形よりも僅かに小さいので、図１１と図１３（ａ）（ｂ）のように、電線Ｄを保持溝２４ａ内へ嵌め込むと、保持溝２４ａが電線Ｄ外周の被覆へ食い込む。そのため、電線Ｄは抜け落ちない状態で、電線押圧部材８の押圧部８ｂに取り付けた電線当接部材２１ｂと、電線受け部材７の上片７ａとで挟み込まれる。このように形成した場合も、電線当接部材２１ｂと上片７ａの間で強く締め込んでも電線Ｄが捩じれることがなく、起立体１が電線Ｄからほぼ垂直を維持した状態で取り付けられるので、ライン材２と電線Ｄが上下にほぼ平行に配置されて、ライン材２が電線Ｄへの鳥の立ち止まりを防ぐことができる。
【００２５】
上記の電線当接部材２１ａ，２１ｂは、いずれも電線押圧部材８の押圧部８ａに取り付けるものについて示したが、図１４（ａ）（ｂ）に示す第四実施形態のように、電線受け部材７の上片７ａに取り付けるものでもよいし、上側スペーサー５や下側スペーサー６と併用してもよい。
【００２６】
本発明の鳥害防止具は、特許請求の範囲に記載する要件を有するものであれば、その形状や大きさを限定するものではない。
電線当接部材（上側スペーサー５と下側スペーサー６）は、上記実施形態で示した合成ゴムなどの弾性体のほか、ウレタンなどの形状を変形できる素材で形成してあってもよい。また、電線当接部材５，６は、上記実施形態のＶ溝Ｇ状のほか、溝のない扁平な形状のものや、図６（ａ）や図７（ａ）のように、Ｕ字溝やあるいは部分的にのみ窪んだものでもよく、電線Ｄを取り付けるときに、電線Ｄの凸部分１７が上側電線当接部１３、下側電線当接部１５に食い込み、それぞれが変形することで電線Ｄを挟んで保持できる手段であればよい。また、上側スペーサー５は、図６（ａ）のように、上側起立体取付部１４が、上側電線当接部１３の両端から垂直部を有するのみである。このような構造であっても、起立体１が電線Ｄの長手方向に移動するような力が働いたときに、図６（ｂ）を参照すれば、上側起立体取付部１４がその方向に対してストッパーとなって上側スペーサー５が上片７ａから外れることがない。また、上側電線当接部１３の肉抜部１３ａ，１３ａは、設けていないものであってもよい。下側スペーサー６についても、下側起立体取付部１６の数や大きさ、形状を起立体の態様にあわせて自在に変更することができる。例えば図７（ａ）のように、下側スペーサー６のほぼ中央にのみ、突起状をなす下側起立体取付部１６を設けても、電線Ｄから起立体１に働く力に対して、下側スペーサー６の不意な外れを防ぐことができる。その他、図７（ｂ）に示すように、下側電線当接部１５において電線Ｄの長手方向に間隔をあけた複数箇所にのみ設けたものでもよい。さらに、上側スペーサー５と下側スペーサー６を取り付ける起立体１についても、その電線取付部４が電線Ｄを挟む態様のものであれば、どのような形状、大きさであっても使用することができる。また、規制部材２は、上記実施形態で示したライン材２の他、可撓性の低い棒材等の電線Ｄとほぼ平行に配置できるものであればよい。
【００２７】
電線当接部材２１ａ，２１ｂについても、電線当接部２２と取付部２３の形状、あるいは起立体１への取付の形態などを上記実施形態に限定するものではない。また、電線Ｄの断面形状を限定せずに保持する保持部２４ａの形状や大きさについても、上記の実施形態では電線Ｄの外径より僅かに大きなまたは小さな半円形状をなすものを示したが、電線Ｄと相違する形状でもよい。このようにしても電線Ｄを保持部２４ａで所定の箇所に位置決めしながら、安定的に鳥害防止具を取り付けることができる。さらに、異形の電線Ｄに対応する保持部２４ｂの形状についても、様々ある異形の電線Ｄに対応して形状を変更することもできる。さらに、異形の電線Ｄに対応する保持部２４ｂの大きさについても、上記の実施形態では僅かに大きくしてあることにより、電線Ｄとの間に余裕を持たせて保持するものについて示したが、電線Ｄの外周部よりも小さくして離脱しにくい状態で保持してもよい。
【符号の説明】
【００２８】
１  起立体
２  ライン材（規制部材）
３  離隔部
４  電線取付部
５  上側スペーサー（電線当接部材）
６  下側スペーサー（電線当接部材）
７  電線受け部材
７ａ  上片（一側部材）
７ｂ  下片
７ｃ  縦片
７ｄ  回転連結部
８  電線押圧部材
８ａ  押圧部（他側部材）
８ｂ  被取付部
８ｃ  受穴
９  蓋部材
１０  規制部材受け部
１０ａ  規制部材係止部
１１  規制部材押さえ部
１２  鳥返し
１３  上側電線当接部
１３ａ  肉抜部
１４  上側起立体取付部（取付部）
１４ａ  垂直部
１４ｂ  水平部
１５  下側電線当接部
１６  下側起立体取付部（取付部）
１６ａ，１６ｂ  リブ
１７  凸部分
２１ａ，２１ｂ  電線当接部材
２２  電線当接部
２３  起立体取付部（取付部）
２４ａ  保持溝（保持部）
２４ｂ  受入溝（保持部）
２５  係止片
Ｇ  Ｖ溝
Ｄ  電線
【図１】
2018007653.tif 000003
【図２】
2018007653.tif 000004
【図３】
2018007653.tif 000005
【図４】
2018007653.tif 000006
【図５】
2018007653.tif 000007
【図６】
2018007653.tif 000008
【図７】
2018007653.tif 000009
【図８】
2018007653.tif 000010
【図９】
2018007653.tif 000011
【図１０】
2018007653.tif 000012
【図１１】
2018007653.tif 000013
【図１２】
2018007653.tif 000014
【図１３】
2018007653.tif 000015
【図１４】
2018007653.tif 000016